(57)【要約】      （修正有）【課題】携帯機器の小型化が可能で部品点数の増加を招かない気密性を備えたジャック。【解決手段】プラグ挿入口１００に連なるプラグ収容室１１０を有し、内部にプラグに電気的機械的に接続する端子２０を収容するための端子空間１３０を備えたジャックＪＣであって、プラグ挿入口１００は厚み方向に携帯機器のケースの側面形状に沿った傾斜部を有するプラグ挿入面に備わり、プラグ挿入面は回路基板が接続する平坦な下面１３、携帯機器のケースに接する平坦な上面１２、及び左右側面１４、１５につながり、上面１２には、端子空間１３０に連設する開口部１６０が備わり、下面１３には端子空間１３０に連なるスリットを備え、端子２０はジャックＪＣに組み付くための固定部２００、固定部２００から上方に延びる湾曲部、固定部２００の下方にスリットに臨む接触部２３０を備え、端子２０は上面１２側から端子空間１３０に組付けられる。【選択図】図１
2015185433.tif 000002
【特許請求の範囲】
【請求項１】
携帯機器に組み付く、プラグ挿入口に連なるプラグ収容室と、対応するプラグに電気的機械的に接続する端子を収容するための端子空間とが形成された平面視矩形状のハウジングと、前記端子とを備えたジャックであって、
前記プラグ挿入口は厚み方向に前記携帯機器のケースの側面内壁形状に沿った形状の曲面又は平面を含む傾斜部を有するプラグ挿入面に備わり、
前記プラグ挿入面は回路基板が接続する平坦な下面、前記携帯機器のケースに接する部分の少なくとも一部は平坦な上面、及び左右側面につながり、
前記上面には、前記端子空間に連設する開口部が備わり
前記下面には前記端子空間に連なるスリットを備え、
前記端子は前記ハウジングに組み付くための固定部、この固定部から一方向に延びる曲げ部、この固定部の前記一方向の反対側に前記スリットに臨む接続部を備え、
前記端子は前記接続部側から前記開口部に挿入され、前記端子空間に組み付けられるところに特徴を有するジャック。
【請求項２】
前記上面から前記プラグ挿入口が備わる前面にかけて、この全面又はこの全面の周縁部に気密性を確保するための弾性部材を装着するための構造を備えるところに特徴を有する請求項１記載のジャック。
【請求項３】
前記全面の周縁部の構造が、平面視矩形状の前記ハウジングの前壁、後壁、左壁、右壁をつなぎ合わせ、この上端面が所定の幅を有する表面が滑らかな一連の壁からなるところに特徴を有する請求項２記載のジャック。
【請求項４】
前記弾性部材がシリコーンラバーであるところに特徴を有する請求項２又は３記載のジャック。
【請求項５】
前記下面に形成された、前記端子の接続部が臨むスリットに気密性を確保するための封止材が充填された請求項１から４のうち一項記載のジャック。
【発明の詳細な説明】
【技術分野】
【０００１】
本発明は、ジャックに関し、詳しくは携帯機器のケースと気密性よく組み付く構造を備えたジャックに関する。
【背景技術】
【０００２】
携帯機器の防水性を確保するために、ジャックのハウジング構造、或いは、ジャックと、ケースとの組み付け構造に工夫がなされた技術が知られている。たとえば特許文献１記載の技術によれば、携帯機器のプラグ挿し込み口が備わるケースの内側に、ジャックを収容するための前方、及び四方が壁で塞がれた箱状の収容室が形成され、この収容室にジャックが組み付けられ、最後に、後方に開けられた開口部を蓋板で隙間なく塞ぐことで確保するものである。このように、密閉された収容室が形成されるので、ジャックの気密性が確保されることとなる。
【０００３】
しかし、この方法では、ジャックの周囲に隙間なく収容室を構成する壁をめぐらせる必要があり、特にジャックの実装面である収容室の底面にも壁が必要になる。壁は気密性を確保するとともに、収容室を構成するための強度が要求されるので、所定の肉厚が確保され、結果、携帯機器の厚み方向の寸法が拡大されることとなる。これにより、この方法では、ジャック部分の気密性は確保できても、携帯機器の小型化が阻まれることとなる。
【０００４】
携帯機器の特に厚み方向の小型化を考慮に入れたものとして、ジャックの組み付け段階で、ハウジングに防水カバー部品を装着する方法が知られている。この技術によれば、ジャックを収容室に収容する構造は不要になり、特に厚み方向の小型化の妨げになる底壁が省略できるので、携帯機器の厚み方向の拡大を防ぐことができる。
しかし、この技術によれば、ジャックの実装面であるハウジングの底面に、端子を組み付けるために、特徴的な形状の開口部を要するとともに、この開口部を含む底面の気密性を確保するために密閉蓋状の防水カバー部品を装着するものである。その結果、この方法では、部品点数が増えるとともに、組み付けのための工数も増えることとなる。また、防水カバー部品自体の厚みにより、厚み方向の寸法にも少なからず影響を及ぼすものである。
【先行技術文献】
【特許文献】
【０００５】
【特許文献１】特開２０１２−５９６６０号公報
【発明の概要】
【発明が解決しようとする課題】
【０００６】
本発明は、係る事情に鑑みてなされたものであって、次に上げる少なくともその一つを目的とし、一つは携帯機器の厚み方向の小型化を妨げることなく、気密性が確保できる構造を備えたジャックを提供することであり、一つは部品点数を増すことなく、気密性が確保できる構造を備えたジャックを提供することである。
【課題を解決するための手段】
【０００７】
上記課題を解決するために、本発明に係るジャックは、（１）携帯機器に組み付く、プラグ挿入口に連なるプラグ収容室と、対応するプラグに電気的機械的に接続する端子を収容するための端子空間とが形成された平面視矩形状のハウジングと、前記端子とを備えたジャックであって、前記プラグ挿入口は厚み方向に前記携帯機器のケースの側面内壁形状に沿った形状の曲面又は平面を含む傾斜部を有するプラグ挿入面に備わり、前記プラグ挿
入面は回路基板が接続する平坦な下面、前記携帯機器のケースに接する部分の少なくとも一部は平坦な上面、及び左右側面につながり、前記上面には、前記端子空間に連設する開口部が備わり、前記下面には前記端子空間に連なるスリットを備え、前記端子は前記ハウジングに組み付くための固定部、この固定部から一方向に延びる曲げ部、この固定部の前記一方向の反対側に前記スリットに臨む接続部を備え、前記端子は前記接続部側から前記開口部に挿入され、前記端子空間に組み付けられるところに特徴を有するジャック。
【０００８】
この発明によれば、回路基板に接続するための、端子の接続部は、ジャックの下面側に形成されたスリットから臨む。その周囲には、気密性を一層向上させるための封止材、たとえば熱硬化性樹脂などで封止してもよい。また、開口部を有するジャックの上面、及び前面は、ケースの内壁の形状に沿う形状を備えている。これにより、ジャックと、ケース内壁との接合面の密着性が増すので、携帯機器が厚み方向に拡大されることがなく、気密性の優れたジャックが得られこととなる。
【０００９】
端子は、固定部がスリットに組み付くことで、接続部がスリットの下面側に臨み、曲げ部、その先に連なる接触部が、端子空間に収まる。ハウジングの上面には、端子空間に連なる開口部が形成されている。上面から前面にかけてはプラグ収容室が一部露出している。下面には、端子の接続部が臨むスリットが形成されている。左右側面、及び後面は、穴や凹凸構造がない概ね平坦な壁からなる。
【００１０】
ジャックの前面の傾斜は、ケースの対応する内壁形状に沿うものであってよく、曲面で構成される場合、或いは平面で構成される場合があってよい。また、ジャックの前面から上面への連なりは、対応するケースの内壁の形状に沿うものであってよい。このような整合性のある傾斜構造をとることで、ジャックと、ケースとの密着性は向上する。
【００１１】
さらに好ましくは、本発明に係るジャックは、（２）前記上面から前記プラグ挿入口が備わる前面にかけて、この全面、又はこの全面の周縁部に気密性を確保するための弾性部材を装着するための構造を備えるところに特徴を有する（１）記載のものである。
【００１２】
この発明によれば、ジャックの前面から上面にかけて、対応するケース内壁との密着性を確保するための弾性部材が装着されたジャックが得られる。これにより、ジャックの前面、及び上面と対応するケース内壁との密着性が確保され、その結果、ジャックの気密性が向上する。
【００１３】
弾性部材は、ジャックの前面、及び上面の全面に装着されるものであってよく、その全面の周縁部にだけ装着されるものであってもよい。また弾性部材は、予め成形されたものが組み付け工程で組み付けられるものであってよく、場合によっては、組み付け工程で形成されるものであってもよい。たとえば粘性のある液状、或いはゲル状の弾性材料を所定の場所に塗布し、その後硬化させる方法で所定の場所に形成されるものであってもよい。
【００１４】
さらに好ましくは、本発明に係るジャックは、（３）前記全面の周縁部の構造が、平面視矩形状の前記ハウジングの前壁、後壁、左壁、右壁をつなぎ合わせ、この上端面が所定の幅を有する表面が滑らかな一連の壁からなるところに特徴を有する（２）記載のものである。
【００１５】
この発明によれば、弾性部材が装着される構造が所定の幅を有する、表面が滑らかな壁からなるので、弾性部材を安定して全面の周縁部に装着することができる。これにより、ジャックの前面から上面にかかる部分と、対応するケース内壁との密着性が確保され、その結果、ジャックの気密性が向上する。
【００１６】
さらに好ましくは、本発明に係るジャックは、（４）前記弾性部材がシリコーンラバーであるところに特徴を有する（２）又は（３）記載のものである。
【００１７】
この発明によれば、ジャックの前面から上面にかかる部分と、対応するケースの内壁との隙間が、シリコーンラバーで埋められる。これにより、組み付けが容易にでき、且つ耐熱性にも優れた気密性を備えたジャックが得られる。
【００１８】
さらに好ましくは、本発明に係るジャックは、（５）前記下面に形成された、前記端子の接続部が臨むスリットに気密性を確保するための封止材が充填された（１）から（４）のうち一項記載のものである。
【００１９】
この発明によれば、ハウジング下面の接続部が臨むスリットも隙間が封止材で充填されるので、特に、携帯機器の厚さ方向の小型化を妨げることなく、気密性が確保されたジャックが得られる。封止材は熱硬化性の樹脂であってよい。
【図面の簡単な説明】
【００２０】
【図１】図１は、本発明の本実施形態に係るジャックの分解斜視図である。
【図２】図２は、同ジャックの外観斜視図である。
【図３】図３は、同ジャックの底面側の外観斜視図である。
【図４】図４は、同ジャックの底面側のスリットに封止材が充填された外観斜視図である。
【図５】図５は、同ジャックのケースへの組み付けの状態を示す斜視図である。
【図６】図６は、同ジャックのケースへの組み付けの状態を示す透視図である。
【図７】図７は、同ジャックのケースへの組み付け完了状態を示す透視図である。
【図８】図８は、同ジャックのケースへの組み付け完了状態を示す側面図である。
【図９】図９は、同ジャックのケースへの組み付け完了状態を示す透視図である。
【発明を実施するための形態】
【００２１】
〈ジャック概説〉  ジャックＪＣについて図面にしたがって説明する。図１は、本発明の本実施形態に係るジャックの分解斜視図である。図２は、同ジャックの外観斜視図である。図３は、同ジャックの底面側の外観斜視図である。図４は、同ジャックの底面側のスリットに封止材が充填された外観斜視図である。
なお、説明中の指示方向は、図中に示す方向定義に従う。
【００２２】
ジャックＪＣは、図１に示されるように、合成樹脂からなる非導電性のハウジング１０と、主に銅合金が用いられる良導電性の端子２０とを備えている。端子２０は、本実施形態の場合、電極用の端子２１、２２、２３と、対応するプラグを保持するための保持用の端子２４、２５とを備える。電極用の端子２１、２２、２３は、正規挿入位置にあるプラグの第１極から第３極の各極に対応する位置に備わる。端子２０はハウジング１０の所定の位置に圧入方式で固定される。
【００２３】
ハウジング１０は、図１、図２に示されるように、前後方向に延びる平面視矩形状の略箱体で、内側には必要な空間が形成されている。ハウジング１０の側面視は、左右側面とも後方から中央にかけては上下面が平行に延び、これより前方にかけては、上面１２が前方にいくにしたがい下方に傾くように曲面を画いている。上面１２の先端は垂直に延びる前面１１の概ね中心線に当たり、ここで連続的につながっている。
【００２４】
ハウジング１０の内側に備わるプラグ収容室１１０は、図１、図２に示されるように、上面１２の傾斜によって上部が欠け、プラグ収容室１１０の前半部分が露出している。ハウジング１０の内側の左右側面１４、１５付近には、図１、図２に示されるように、端子
２０を組み付け固定するための端子空間１３０が備わる。端子空間１３０は、対応する端子２０に応じた特徴的な形状をもつ。端子２０は、接続の信頼性を確保するために弾性変形可能な曲げ部２１０が備わり、この曲げ部２１０も含めて端子２０全体が端子空間１３０に収容される。そのために、端子空間１３０は、ハウジング１０内で比較的大きな範囲を占め、開口部１６０も上面１２に比較的大きく形成されている。
【００２５】
端子空間１３０は、図１、図２に示されるように、上面１２に開口部１６０が形成されている。開口部１６０は、各端子２１〜２５の形状に対応した構造と、特徴的な輪郭とが形成され、概ね前後方向に延びている。
ハウジング１０の下面１３は、図３に示されるように、概ね平坦で中央部にやや盛り上がる台地が形成されている。また、下面１３の左右側縁部に、隙間幅を一定に保つスリット１２０が形成されている。スリット１２０は、前後方向に直線的に延び、奥部ではハウジング１０の上面１２から内方に形成されている端子空間１３０に連通している。このように、スリット１２０と、端子空間１３０とは、連続した空間を形成している。
【００２６】
ハウジング１０の前面１１は、図１、図２に示されるように、下向きに傾斜する上面１２に滑らかにつながり、プラグ挿入口１００の上半分は欠け、下半分からプラグ収容室１１０が露出している。また、最も前方に形成されている端子空間１３０は、その一部が前面１１によって切り落とされ、そこから内部が一部露出している。このような露出部分が生じているが、前面１１から上面１２にかかる全面の周縁部がシリコーンラバー５０を介してケース３０の内壁に、押圧力をともなって接合されるので、ジャックＪＣの気密性は確保されることとなる。
【００２７】
〈端子〉  端子２０は、図１に示されるように、図示しないプラグの電極に対応する第１から第３までの３個の電極用の端子２１、２２、２３が備わる。後方の左右方向には、正規嵌合位置にあるプラグの先頭部に対して保持力を生じさせる保持用の端子２４、２５が備わる。保持用の端子２４、２５は、図１に示されるように、銅合金の圧延材の打ち抜きからなる四角の枠組２４０を備え、この四角の枠組２４０の内側に前方の枠の側縁から後方に延びる保持片２５０を備えている。左右一対の保持片２５０、２５０は、ともに後方で内向きに山形に湾曲し、その頂点部で正規嵌合位置にあるプラグ先頭部を挟持する。
【００２８】
保持用の端子２４、２５は、図１に示されるように、四角の枠組２４０がハウジング１０に形成されたスリット１２０に嵌ることによって、湾曲形状の保持片２５０が端子空間１３０に収容される。これにより、スリット１２０を通してハウジング１０の下面１３から下方に、下枠の一部を構成する接続部２２０が露出する。接続部２２０は、半田固着によって回路基板４０に接続する。
【００２９】
端子空間１３０は、ハウジング１０の内側でプラグ収容室１１０に連通している。これにより、所定位置に組み付けられた保持用の端子２４、２５は、正規嵌合位置にあるプラグの先頭部に、保持片２５０を弾性的に当接させることができ、また、電極用の端子２１、２２、２３は、プラグの対応する電極に電気的機械的に接続することができる。
【００３０】
電極用の第1端子２１、第2端子２２、第3端子２３は、ともに矩形状の固定部２００の上縁から上方に延びる曲げ部２１０を備えている。曲げ部２１０は、上方に山形に湾曲し、その先端は下方に進み９０度向きを変えて前方に延びる。延びる先端は内向きに傾きを増し、頂部に至って凸部を備える。このようにして、電極用の第１端子２１、第２端子２２、第３端子２３は、ともに曲げ部２１０の先端に弾性的に変位可能な接触部２３０が備わる。接触部２３０は、正規嵌合位置にあるプラグの対応する電極に電気的機械的に接続する。本発明は、端子２０の形状を本実施形態に示される形状に限定するものではなく、発明の趣旨を逸脱しない範囲で適宜変更が可能である。
【００３１】
電極用の第１端子２１、第２端子２２、第３端子２３の矩形状の固定部２００は、図１に示されるように、対応するスリット１２０に嵌ることで、曲げ部２１０、及び接触部２３０が端子空間１３０に収容される。これにより、ハウジング１０のスリット１２０に圧入された固定部２００は、その先端に備わる接続部２２０をスリット１２０からハウジング１０の下面１３に露出させる。
【００３２】
〈端子組み付け完了〉  端子２０がハウジング１０の所定の位置に組み付いたジャックＪＣは、図２、図３に示されるように、ハウジング１０の下面１３のスリット１２０に板厚相当分の接続部２２０が露出し、接続部２２０の周面とスリット１２０の内周面との間には隙間が形成される。この隙間は、図４に示されるように、封止材６０で封止される。封止材６０は、熱硬化性の樹脂であってよく、場合によっては、楕円状に成形されたゴム製のパッキング材を隙間に嵌め合わせてもよい。何れの方法によっても隙間を封止することによって、ハウジング１０の下面１３の気密性は確保されることとなる。
【００３３】
ハウジング１０の上面１２から前面１１にかかる部分は、図２に示されるように、プラグ収容室１１０、及び端子空間１３０に連なる開口部１６０が形成されている。これら開口部１６０が形成されている範囲は、上面１２から前面１１の概ね中心線にかけての部分であって、その周縁部には及んでいない。ハウジング１０の前面１１、及び上面１２のこれら全面の周縁部は、図２に示されるように、ハウジング１０を構成する前壁、後壁、左右側壁を連ねた、上端面が滑らかで所定の幅を備えた一連の壁１８０で構成されている。
【００３４】
この周縁部に張り巡らされた壁１８０は、ハウジング１０の中央部に形成された特徴的な輪郭を有する島状の台地と同じ高さで形成されるか、或いは若干ではあるが高めに形成されることが好ましい。本実施形態の場合、この周縁部の壁１８０が弾性部材であるシリコーンラバー５０を介して対応するケース３０内側に対して密着接合することで、ジャックＪＣの気密性が確保されるものである。
【００３５】
この周縁部に張り巡らされた壁１８０は、ジャックＪＣがケース３０の所定の位置に組み付けられた際、ケース３０の内壁の形状に沿うように形成されている。本実施形態の場合、ケース３０内壁の形状が前方にいくにしたがって下方に傾斜するので、ジャックＪＣの壁１８０もそれに倣う形で傾斜している。このように、対応する双方形状が整合することで、その接合面の気密性が確保されることとなる。
【００３６】
この周縁部に張り巡らされた壁１８０には、図２に示されるように、その形状に沿うように成形されたシリコーンラバー５０が装着される。シリコーンラバー５０は、シリコーンゴムの加圧成形によるもので、シリコーンラバー５０の物理的化学的特性として熱や、その他腐食性環境に対しても比較的耐性を有するとともに、設計自在な硬度を備え、電子機器のパッキング材として適した素材である。シリコーンラバー５０は、周縁部の壁１８０と、対応するケース３０内壁との間に形成された隙間をその弾性によって分断し、縮小することができる。
シリコーンラバー５０は、所定の幅と厚みを備えている。幅と厚みはジャックＪＣをケース３０に押圧する力、ゴム硬度、要求する気密度など物理的要因によって決定しうるものであり、適宜最適値が設計されるものである。
【００３７】
本実施形態では、弾性部材にシリコーンラバー５０を使用するが、本発明は、これに限定するものではなく、適宜材料は選択しうるものである。たとえば、ウレタン等の合成ゴム、エラストマなど選択してもよい。また、シリコーンラバー５０は、周縁部だけではなく、ハウジングの前面から上面にかけて全面を覆うものであってもよい。さらに、弾性部材として基材が防水性を備えた両面テープを使用してもよい。
【００３８】
〈ジャックの組み付け〉  ジャックＪＣのケース３０への組み付けについて図面にしたがって説明する。図５は、本実施形態に係るジャックのケースへの組み付けの状態を示す斜視図である。図６は、同ジャックのケースへの組み付けの状態を示す透視図である。図７は、同ジャックのケースへの組み付け完了状態を示す透視図である。図８は、同ジャックのケースへの組み付け完了状態を示す側面図である。図９は、同ジャックのケースへの組み付け完了状態を示す透視図である。
【００３９】
ジャックＪＣは、図５に示されるように、下面１３が回路基板４０に接続する実装面である。回路基板４０は、ＦＰＣ（Ｅｌｅｘｉｂｌｅ  ｐｒｉｎｔｅｄ  ｃｉｒｃｕｉｔｓ）のように柔軟性を有する材料であってよい。回路基板４０に形成された電極ターミナルに、ジャックＪＣの下面１３に露出する接続部２２０が半田固着によって接続する。このとき、接続部２２０は、前後方向に長いので実装強度の向上が図られる。ジャックＪＣは、このようにして回路基板４０の所定の位置に固定される。
【００４０】
回路基板４０に固定されたジャックＪＣは、図６に示されるように、プラグ挿入口３２０が備わるケース３０側面の内壁に組み付けられる。ケース３０側面の内壁には、シリコーンラバー５０に対応する位置に一段高められた据付用の台座３３０が形成されている。台座３３０の表面は、平坦で滑らかに形成されている。正規位置に組み付けられたジャックＪＣのプラグ挿入口１００は、ケース３０の側面３００に備わる、プラグ挿入口３２０に重なる。
【００４１】
ケース側面３００の内壁は、図８に示されるように、ジャックＪＣの前面１１、及び上面１２の前半部分が合わさる部分であって、微妙に曲率が変化する曲面の組み合わせで構成されている。このような曲面同士の密着性を確保する上で、弾性を有するシリコーンラバー５０は効果的に作用し、双方の整合性を補足する。
【００４２】
ジャックＪＣは、図８に示されるように、ケース３０に対して上方、及び前方に押圧力が加えられている。押圧力の発生源は、ジャックＪＣと、ケース３０とに備わる係合片同士の重なりで生じるものであってよく、或いは、ケース３０をジャックＪＣに固定するためのネジ締めで生じるものであってもよい。
ケース３０に組み付けられたジャックＪＣは、図７に示されるように、前面１１、及び上面１２の開口部１６０が全てシリコーンラバー５０によって覆われ、その周囲に対して気密性が確保されている。
【００４３】
〈原理〉  ハウジング１０の上面１２側から端子２０を組み付けることによって、下面１３側には小さなスリット１２０が形成されるだけで、比較的容易に気密性が確保でき、これにより、複雑な部品構成をとることなく、携帯機器の小型化の妨げにならない、気密性のよいジャックＪＣが得られる。ハウジング１０の上面１２側に形成される、プラグ収容室１１０、端子空間１３０などの開口部１６０は、ケース３０の内壁と、ジャックＪＣとの密着性を向上させることで塞ぐことができ、特別な部材を用いることなく、小型化の妨げにならない、気密性が確保されたジャックが得られる。
【００４４】
〈効果〉
・本実施形態に係るジャックＪＣは、ハウジング１０の上面１２側から端子２０を挿入するので、ジャックＪＣの下面１３側には、板状片の接続部２２０が露出できるだけの幅細のスリット１２０が形成されるのみである。これにより、下面１３側の封止手段が比較的容易にできるので、小型化の妨げにならない気密性のよいジャックＪＣが得られる。
【００４５】
・本実施形態に係るジャックＪＣは、前面１１から上面１２にかけての密着構造がシリコ
ーンラバー５０を介して構成されるので、たとえジャックＪＣと、ケース３０との間に隙間が生じる部分があっても、弾性変形可能なシリコーンラバー５０によってその部分が塞がれる。これにより、気密性が確保されたジャックＪＣが得られる。
・本実施形態に係るジャックＪＣは、押圧力により、ジャックＪＣをケース３０の内壁に密着させるので、たとえジャックＪＣと、ケース３０との間に隙間が生じる部分があっても、隙間が分断され、縮小するので、容易に気密性のよいジャックＪＣが得られる。
【００４６】
・本実施形態に係るジャックＪＣは、ハウジング１０の上面１２から端子２０を組み付けるので、従来技術では必要としていた下面１３側の開口部を塞ぐための防水カバーの装着が不要になる。これにより、部品点数、及び組立工数の少ない気密性のよいジャックＪＣが得られる。
・本実施形態に係るジャックＪＣは、上面１２側の密着性を確実にすることによって、気密性を確保する構造である。これにより、ハウジング１０の最も前方にある端子空間１３０を形成する前壁の一部が構造上欠けることがあっても、気密性が確保されたジャックＪＣが得られる。
【００４７】
・本実施形態に係るジャックＪＣは、上面１２側の密着性を確実にすることによって、気密性を確保する構造なので、最も前方に備わる端子２０の位置をハウジング１０の前壁の近くに設けることができる。これにより、ケース３０の対応する側面の壁の厚みを比較的確保し易くなるので、所定の強度が確保された携帯機器ケース３０が得られる。
・本実施形態に係るジャックＪＣは、ジャックＪＣと、ケース３０との間にシリコーンラバー５０を装着して気密性を確保する構造なので、携帯機器の小型化が可能なジャックＪＣが得られる。
【００４８】
・本実施形態に係るジャックＪＣは、前面１１から上面１２にかけての周縁部に弾性部材を装着することで、ジャックＪＣの気密性を確保する構造であるので、たとえば、基材が防水性の両面テープを弾性部材に使用することができる。これにより、予めジャックＪＣに防水テープを組み付けることができるので、ケース３０への組み付けが容易な気密性ジャックＪＣが得られる。
【００４９】
〔その他の実施形態〕
以上、本発明を実施形態に基づいて説明したが、本発明は、上述した実施形態に限られるものではなく、発明思想の範囲内で種々の変更が可能である。
【符号の説明】
【００５０】
ＪＣ        ジャック
１０        ハウジング
１１        前面
１２        上面
１３        下面
１４、１５    左右側面
１６        後面
１００      プラグ挿入口
１１０      プラグ収容室
１２０      スリット
１３０      端子空間
１６０      開口部
１８０      壁
２０        端子
２００      固定部
２１０      曲げ部
２２０      接続部
２３０      接触部
２５０      保持片
３０        ケース
３００      側面
３１０      上面
３２０      プラグ挿入口
３３０      台座
４０        回路基板
５０        シリコーンラバー
６０        封止材（熱硬化樹脂）
【図１】
2015185433.tif 000003
【図２】
2015185433.tif 000004
【図３】
2015185433.tif 000005
【図４】
2015185433.tif 000006
【図５】
2015185433.tif 000007
【図６】
2015185433.tif 000008
【図７】
2015185433.tif 000009
【図８】
2015185433.tif 000010
【図９】
2015185433.tif 000011